(57)【要約】【課題】着用者の肌に触れても刺激を与えるおそれのないテープファスナを備えた使い捨てのパンツ型着用物品の提供。【解決手段】テープファスナ１８は、繊維不織布製の基材シートによって形成され、非肌対向面側に位置する固定部４１と、少なくとも１つの折曲部４３によって折り畳まれた自由部４２と、折り畳まれた状態における長さ方向Ｅとそれに直交し、かつ、縦方向Ｙとほぼ並行に延びる幅方向Ｆと幅方向Ｆにおいて対向する両側縁部１８ｃと、固定部４１と自由部４２とを剥離可能に部分的に固定する少なくとも１つの仮止め部６１とを有する。仮止め部６１は、両側縁部１８ｃの少なくとも一方側縁部には配置されておらず、前記一方側縁部１８ｃにおいて重ねられた部分は互いに接合されていない。【選択図】図１
2015134021.tif 000002
【特許請求の範囲】
【請求項１】
縦方向及びそれに直交する横方向と、肌対向面及びその反対側に位置する非肌対向面とを有し、前後ウエスト域の一方である第１ウエスト域と他方である第２ウエスト域と、前記第１及び第２ウエスト域の間に位置するクロッチ域とを含み、前記第１及び第２ウエスト域において前記縦方向へ延びる側縁部どうしが連結されており、前記第１ウエスト域の前記非肌対向面側に取り付けられたテープファスナとを含む使い捨てのパンツ型着用物品において、
前記テープファスナは、繊維不織布製の基材シートによって形成され、前記非肌対向面側に位置する固定部と、少なくとも１つの折曲部位によって折り畳まれた自由部と、折り畳まれた状態における長さ方向と、それに直交し、かつ、前記縦方向とほぼ並行に延びる幅方向と、前記幅方向において対向する両側縁部と、前記固定部と前記自由部とを剥離可能に部分的に固定する少なくとも１つの仮止め部とを有し、
前記仮止め部は、前記両側縁部のうちの少なくとも一方側縁部には配置されておらず、前記一方側縁部において重ねられた部分は接合されていないことを特徴とする前記パンツ型着用物品。
【請求項２】
前記基材シートは、熱可塑性の合成繊維を含む繊維不織布から形成されており、前記仮止め部において剥離可能に溶着されている請求項１に記載のパンツ型着用物品。
【請求項３】
前記自由部は、前記非肌対向面に止着可能な止着域を有し、前記止着域は前記固定部と対向する面に位置し、かつ、フック要素を有するフックシートから形成されており、折り畳まれた状態における前記テープファスナの前記両側縁どうしが近づく方向のＫＥＳ曲げ剛性値は、約０．５６〜１．８ｇｆ・ｃｍ２／ｃｍである請求項１又は２に記載のパンツ型着用物品
【請求項４】
前記テープファスナの折り畳まれた状態における、前記止着域を除く部分の前記テープファスナどうしが近づく方向のＫＥＳ曲げ剛性値が約０．０４〜０．４４ｇｆ・ｃｍ２／ｃｍ以である請求項１又は２に記載のパンツ型着用物品。
【請求項５】
前記テープファスナは、前記固定部に連なる第１自由部と、厚さ方向において前記第１自由部に重ねられる第２自由部とをさらに有し、前記固定部、前記第１及び第２自由部が前記長さ方向において離間する第１及び第２仮止め部によって仮止めされており、前記第１及び第２仮止め部は前記幅方向において離間する一対のドッド状を有する請求項１〜４のいずれかに記載のパンツ型着用物品
【請求項６】
前記仮止め部の面積が、折り畳まれた状態におけるテープファスナの表面積の約０．５％以上であって、約５．０％以下の大きさを有する請求項１〜５のいずれかに記載のパンツ型着用物品。
【請求項７】
前記基材シートのうちの少なくとも一部が、複数の繊維不織布を接合することによって一体化される請求項１〜６のいずれかに記載のパンツ型着用物品。
【請求項８】
前記自由部の外面には、前記基材シートとは別体の被覆シートが取り付けられており、前記被覆シートは、同一又は互いに相似するエンボスパターンが外面に付された繊維不織布から形成される請求項７に記載のパンツ型着用物品。
【請求項９】
前記基材シートと前記被覆シートとの接合域は、前記長さ方向又は前記幅方向において所与寸法離間して位置する複数の接合部位から形成される請求項８に記載のパンツ型着用物品。
【請求項１０】
前記クロッチ域を中心として前記第１及び第２ウエスト域に延びる吸液性コアをさらに有し、前記テープファスナを展開した状態において、前記自由部の前記止着域が前記吸液性コアの側縁部と平面視において重なって位置する請求項３〜９のいずれかに記載のパンツ型着用物品。
【請求項１１】
前記クロッチ域を中心として前記第１及び第２ウエスト域に延びる吸液性コアをさらに有し、前記テープファスナを展開した状態において、前記テープファスナが前記第１及び第２ウエスト域の前記側縁部どうしが連結されたサイドシームを跨いで、前記自由部の前記止着域が前記第２ウエスト域に位置する吸液性コアと平面視において重なって位置する請求項３〜９のいずれかに記載のパンツ型着用物品。
【発明の詳細な説明】
【技術分野】
【０００１】
本発明は、使い捨ておむつ、特に、主として廃棄用のテープファスナを備える使い捨てのパンツ型着用物品に関する。
【背景技術】
【０００２】
従来、テープファスナを備える使い捨てのパンツ型着用物品は公知である。例えば、特許文献１には、前後ウエスト域のいずれか一方のウエスト域の外面に一対のテープファスナが取り付けられている。テープファスナは、プラスチックフィルムから形成され、一方のウエスト域に固定された固定部と、止着部が位置する摘持可能な自由部とを有し、複数層に折り畳まれた状態で配置されている。
【先行技術文献】
【特許文献】
【０００３】
【特許文献１】特開２００３−２９０２８７号公報（Ｐ２００３−２９０２８７Ａ）
【発明の概要】
【発明が解決しようとする課題】
【０００４】
特許文献１に開示された発明に係る着用物品では、テープファスナの積層された部分の対向面どうしが対向面に全体に塗布された粘着剤によって仮止めされているので、積層状態が維持されて、着用物品の搬送中や着用中に不意にテープファスナが展開されるおそれはない。
【０００５】
しかし、テープファスナはプラスチックシートから形成され、かつ、その積層された状態において、折り重ねた部分全体を粘着剤によって固定することによってその外周縁部全体が一体化して比較的に高い剛性を有する。したがって、着用者が仰臥状態で大腿部を動かしたとき等にウエスト域を形成するシート部材を介して間接的にテープファスナの側縁部が腹部に当たって、肌に刺激を与えるおそれがある。特に、着用者が乳幼児の場合には、肌が刺激に弱く、痛みを与えたり、肌に傷をつけたりするおそれがある。
【０００６】
本発明の課題は、着用者の肌に触れても刺激を与えるおそれのないテープファスナを備えた使い捨てのパンツ型着用物品の提供に関する。
【課題を解決するための手段】
【０００７】
前記課題を解決するために、本発明は、縦方向及びそれに直交する横方向と、肌対向面及びその反対側に位置する非肌対向面とを有し、前後ウエスト域の一方である第１ウエスト域と他方である第２ウエスト域と、前記第１及び第２ウエスト域の間に位置するクロッチ域とを含み、前記第１及び第２ウエスト域において前記縦方向へ延びる側縁部どうしが連結されており、前記第１ウエスト域の前記非肌対向面側に取り付けられたテープファスナとを含む使い捨てのパンツ型着用物品に関する。
【０００８】
本発明のパンツ型着用物品は、前記テープファスナは、繊維不織布製の基材シートによって形成され、前記非肌対向面側に位置する固定部と、少なくとも１つの折曲部位によって折り畳まれた自由部と、折り畳まれた状態における長さ方向と、それに直交し、かつ、前記縦方向とほぼ並行に延びる幅方向と、前記幅方向において対向する両側縁部と、前記固定部と前記自由部とを剥離可能に部分的に固定する少なくとも１つの仮止め部とを有し、前記仮止め部は、前記両側縁部のうちの少なくとも一方側縁部には配置されておらず、前記一方側縁部において重ねられた部分は接合されていないことを特徴とする。
【発明の効果】
【０００９】
本発明に係るパンツ型着用物品によれば、テープファスナの自由部が少なくとも一つの仮止め部によって仮止めされていることによって折り畳まれた状態が維持され、かつ、仮止め部は固定部と自由部とを部分的に剥離可能に固定するものであるから、テープファスナ全体が硬化せず、繊維不織布としての柔軟性を保持することができる。また、折り畳まれた状態におけるテープファスの側縁部に仮止め部が位置してないことによって、側縁部は柔軟性を有し、それに着用者が間接的又は直接的に触れても、肌に刺激を与えることはない。
【図面の簡単な説明】
【００１０】
【図１】本発明に係る使い捨てのパンツ型着用物品の一例として示す、第１実施形態における使い捨ておむつの正面図。
【図２】各弾性体を伸長させた状態における、おむつの一部破断展開図。
【図３】おむつの分解斜視図。
【図４】折り畳まれた状態におけるテープファスナを上面から視た平面図。
【図５】図２に示すＶ−Ｖ線に沿う模式的断面図。
【図６】図１に示すＶＩ−ＶＩ線に沿う模式的断面図。
【図７】おむつの変更例の一例における図６と同様の展開平面図。
【発明を実施するための形態】
【００１１】
図１〜３を参照すると、本発明の第１実施形態に係るパンツ型着用物品の一例である使い捨ておむつ１０は、その幅寸法を二等分する縦軸Ｐ及びその長さ寸法を二等分する横軸Ｑと、縦軸Ｐに沿う縦方向Ｙ及び横軸Ｑに沿う横方向Ｘと、肌対向面及びそれに対向する非肌対向面とを有し、弾性のウエストパネル１１と、ウエストパネル１１の肌対向面側に取り付けられた吸液構造体１２とを含む。また、おむつ１０は、前ウエスト域（第１又は第２ウエスト域）１３と、後ウエスト域（第１又は第２ウエスト域）１４と、前後ウエスト域１３，１４間に位置するクロッチ域１５とを有し、後ウエスト域１４の両側部１９には、一対のテープファスナ１８が配置される。ここで、「後ウエスト域１４の両側部１９」とは、吸液構造体１２の両側縁と後ウエスト域１４の両外側縁１７ｃとの間に位置する領域をいう。テープファスナ１８は、パンツ型のおむつ１０においてサイズ調整用及び廃棄用に使用されるものであるから、後ウエスト域１４の横方向Ｘにおける両側部１９間に位置する中央部ではなく両側部１９に位置することが好ましい。また、テープファスナ１８は、後ウエスト域１４の一方側部１９にのみ配置されていてもよいし、後ウエスト域１４の側部１９ではなく、前ウエスト域１３の側部に配置されていてもよい。
【００１２】
＜ウエストパネル＞
ウエストパネル１１は、前ウエスト域１３に位置する前ウエストパネル１６と、後ウエスト域１４に位置する後ウエストパネル１７とから構成される。前ウエストパネル１６は、略長方形状であって、吸液構造体１２の前端部１２Ａと交差し、横方向Ｘへ延びる内端縁１６ａと、縦方向Ｙにおいて内端縁１６ａと離間対向して横軸Ｑの方向へ延びる外端縁１６ｂと、外端縁１６ｂから下方へ延びる両外側縁１６ｃとを有する。後ウエストパネル１７は、略台形状であって、吸液構造体１２の後端部１２Ｂと交差し、横方向Ｘへ延びる中間内端縁１７ａと、縦方向Ｙにおいて中間内端縁１７ａと離間対向して横方向Ｘへ延びる外端縁１７ｂと、内外端縁１７ａ，１７ｂにおいて縦方向Ｙへ延びる両外側縁１７ｃ、両外側縁１７ｃと中間内端縁１７ａとつなぎ、かつ、縦軸Ｐに対して傾斜して延びる両内側縁１７ｄとを有する。
【００１３】
前ウエストパネル１６の両外側縁１６ｃと、それらに前後方向において対向する後ウエストパネル１７の両外側縁１７ｃとは、互いに重ね合わされて、縦方向Ｙへ断続的に延びるサイドシーム２０によって連結されることによってウエスト開口及び一対のレッグ開口が画定される。サイドシーム２０は、熱又は超音波によるエンボス加工によって互いに重なり合うシートが融着される。
【００１４】
＜前後ウエストパネル＞
図２を参照すると、前後ウエストパネル１６，１７は、肌対向面側に位置する内層シート２１，２２と、非肌対向面側に位置する外層シート２３，２４と、横方向Ｘへ延びる複数条のストリング状又はストランド状の弾性材料から形成され、内外層シート２１，２２，２３，２４の間においてホットメルト接着剤を介して伸長状態で収縮可能に取り付けられた前後ウエスト弾性体２５，２６とを有する。
【００１５】
前後ウエスト弾性体２５，２６は、内層シート２１，２２と外層シート２３，２４との間にホットメルト接着剤を介して固定されており、ウエスト開口縁側に位置する上方ウエスト弾性体２５Ａ，２６Ａと、その下方に位置する下方ウエスト弾性体２５Ｂ，２６Ｂとを有する。内外層シート２１，２２，２３，２４は、それらの内面のいずれかに塗布されたホットメルト接着剤を介して固定されていてもよいし、各ウエスト弾性体２５，２６の外周に塗布されたホットメルト接着剤を介して両シートが固定されていてもよい。また、本実施形態において、内層シート２１，２２は、前後ウエスト域１３、１４を形成する１枚のシート材料のみから形成されているところ、複数のシート材料から形成することできる。前後ウエスト弾性体２５，２６は、繊度が約３００〜９４０ｄｔｅｘであって、収縮または弛緩された状態から約１．５〜３．０倍に伸長されたストリング状またはストランド状の弾性材料から形成することができる。
【００１６】
図２を参照すると、吸液構造体１２は、縦長の略矩形状であって、前ウエストパネル１６の肌対向面と連結された前端部１２Ａと、後ウエストパネル１７の肌対向面と連結された後端部１２Ｂと、前後端部１２Ａ，１２Ｂ間において縦方向Ｙへ延び、クロッチ域１５の一部を形成する中間部１２Ｃとを有する。
【００１７】
図２及び３を参照すると、吸液構造体１２は、肌対向面側に位置する透液性の身体側ライナ３０と、着衣対向面側に位置する疎水のバックシート３１と、それらの間に介在されたパッド状の吸液性を有する吸収体３２とを含む。身体側ライナ３０は、例えば、質量約１５〜２５ｇ／ｍ２の親水化処理されたスパンボンド繊維不織布、ＳＭＳ繊維不織布等から形成することができる。バックシート３１は、質量約１０〜２０ｇ／ｍ２の疎水性のＳＭＳ繊維不織布やスパンボンド不織布等から形成される。バックシート３１と吸収体３２との間には、質量約１０〜２５ｇ／ｍ２の通気性を有するプラスチックフィルムから形成された防漏フィルム３３が配置される。吸液構造体１２は、吸収体３２の前後端縁よりも縦方向Ｙの外側に延出した身体側ライナ３０、バックシート３１及び防漏フィルム３３の一部から形成されたエンドフラップと、吸収体の両側縁よりも横方向Ｘの外側に延出した両シートの一部から形成されたサイドフラップとをさらに有する。サイドフラップには、縦方向Ｙへ延びる複数条のストリング状又はストランド状の弾性材料からなるレッグ弾性体３５が伸長状態で収縮可能に取り付けられる。
【００１８】
吸収体３２は、前後ウエスト域１３，１４に位置する前後端縁３２ａ，３２ｂと、前後端縁３２ａ,３２ｂ間において縦方向Ｙへ延びる凹曲状の両側縁３２ｃとを有し、フラッフ木材パルプや超吸収性ポリマー粒子等の吸収材料から形成された吸液性コアと、吸液性コア全体を包被する質量約１０〜２０ｇ／ｍ２のティッシュペーパ等から形成された透液性のコアラップシートとを含む。
【００１９】
＜テープファスナ＞
図４を参照すると、テープファスナ１８は、後ウエスト域１４の両側部１６に折り畳まれた状態で配置された１本のテープ片からなる基材シートから形成される。テープファスナ１８は、折り畳まれた状態において、長さ方向Ｅとそれに交差する幅方向Ｆと、それらに交差する厚さ方向Ｚと、長さ方向Ｅにおいて対向する、縦軸Ｐ側に位置する一方端部１８ａとサイドシーム２０側に位置する他方端部１８ｂと、幅方向Ｆにおいて離間対向して長さ方向Ｅへ延びる両側縁部１８ｃとを有する。本実施形態においては、テープファスナ１８は、長さ方向Ｅが横方向Ｘ、幅方向Ｆが縦方向Ｙに沿うように横軸Ｑに並行して（縦軸Ｐに対して直交して）配置されている。テープファスナ１８は、縦軸Ｐに対して僅かに斜めに取り付けられていてもよいが、パンツ型のおむつ１０の廃棄用又はサイズ用の締結手段として使用するためには、少なくとも、幅方向Ｆが縦方向Ｙとほぼ並行するように配置する好ましい。
【００２０】
図５を参照すると、テープファスナ１８は、断面Ｚ字型に折り畳まれており、後ウエスト域１４の両側部１６にファスナ接合域４０を介して固定された固定部４１と、固定部４１から長さ方向Ｅへ延びる自由部４２とをさらに有する。テープファスナ１８は、第１及び第２折曲部４３，４４において折り曲げられており、固定部４１と連なりそれと厚さ方向Ｚにおいて対向する第１自由部５１と、第１自由部５１と連なってそれと厚さ方向Ｚにおいて対向する第２自由部５２とを有する。第２自由部５２の外面には、基材シートとは別体の被覆シート５３がホットメルト接着剤等の公知の接合手段からなるカバー接合域５４を介して取り付けられる。カバー接合域５４は、第２自由部５２と被覆シート５３との対向面全体に形成されたものではなく、長さ方向Ｅ又は幅方向Ｆにおいて所与寸法離間して位置する複数の接合部位から形成されるものであるから、全面に形成される場合に比してテープファスナ１８は柔軟性に優れる。本実施形態においては、カバー接合域５４は、長さ方向Ｅにおいて互いに離間し、かつ、幅方向Ｆにライン状に延びる複数の接合部位から形成されている。接合部位は直状のほかに、スパイラル状、Ω状、ドット状等の各種公知の塗布パターンを採用することができる。なお、被覆シート５３はオプションであって、後記の本願発明の効果を奏する限りにおいて基材シートに取り付けられていなくてもよい。
【００２１】
テープファスナ１８を構成する基材シートは、従来公知の繊維不織布、好ましくは、ポリエチレン、ポリプロピレン、ポリエチレン等の熱融着性の合成繊維を含む繊維不織布から形成することができ、例えば、質量が約１５〜１００ｇ／ｍ２、好ましくは、３０〜８０ｇ／ｍ２のスパンボンド繊維不織布（ＳＢ繊維不織布）やＳＭＳ繊維不織布から形成することができる。本実施形態において基材シートは、１枚の繊維不織布から形成されているが、少なくとも一部において複数の同一種類又は複数種類の繊維不織布から形成してもよいし、固定部４１と自由部４２とが別々のシートから形成されていてもよいし、固定部４１，第１自由部５１及び第２自由部５２とが別々のシートから形成されていてもよい。被覆シート５３は基材シートよりも柔軟かつ肌触り良いシート材料であって、具体的には、例えば、質量約１０〜５０ｇ／ｍ２の（基材シートよりも単位面積当たりの質量の小さい）スパンボンド繊維不織布、ＳＭＳ繊維不織布やエアスルー繊維不織布から形成することができる。また、被覆シート５３はおむつ１０の外面を形成する外層シート２３，２４と同種類の繊維不織布から形成することが好ましい。このように、非展開状態におけるテープファスナ１８の外面の繊維不織布として、おむつ本体の外面に用いた不織布と同一のものを用いたり、同一若しくは互いに相似するエンボスパターンの不織布を用いたり、または、同一の色彩、同一又は互いに相似する模様、図柄を施したものを用いることによって、おむつ１０の外面に取り付けられたテープファスナ１８がおむつ本体と視覚的に一体感が得られ、おむつ本体に別体のテープファスナ１８を取り付けることによって、異物感を低減することができる。
【００２２】
テープファスナ１８は、第１折曲部４３に位置する第１仮止め部６１と第２折曲部４４に位置する第２仮止め部６２とによって積層された部分が剥離可能に固定され、折り畳まれた状態が維持される。第１仮止め部６１と第２仮止め部６２とは、長さ方向Ｅにおいて互いに離間しており、それぞれ、幅方向Ｆにおいて離間する一対のドット状を有する。第１及び第２仮止め部６１，６２は、テープファスナ１８の両側縁部１８ｃに配置されておらず、その外側縁から幅方向Ｆにおいて所与寸法離間している。テープファスナ１８の自由部４２は、第２自由部５２において第２仮止め部６１から自由端縁まで延びる摘持部６３を有する。第２自由部５２の第１仮止め部６１と第２仮止め部６２との間における内面（第１自由部との対向面）には、メカニカルファスナのフック要素や粘着剤から形成された止着域が位置する。本実施形態においては、止着域には、フック要素をプラスチックシートに接合したフックシート６４が配置される。
【００２３】
ファスナ接合域４０及びカバー接合域５４には、例えば、質量約５〜２０ｇ／ｍ２のホットメルト接着剤を使用することができる。第１及び第２仮止め部６１、６２は、公知の加圧処理や加圧加熱処理を施すことによって形成することができ、例えば、公知のエンボス処理やソニック処理を用いることができる。加圧加熱処理する場合には、テープファスナ１８自体が熱融着性を有する合成繊維を含むことからより安定的に仮止めされる。本実施形態においては、第１及び第２仮止め部６１，６２は、ソニック処理によって形成されている。エンボス処理の場合には、加圧加熱された部位の反対側の面が突出して、着用者の肌に触れたときに刺激を与えるおそれがあるところ、ソニック処理の場合には、加圧加熱された部分が剥離可能に溶着されて、それを剥離したときにエンボス処理に比べて凹凸が付き難く、かかる不利益を生じるおそれはない。
【００２４】
かかる積層状態において、着用者がテープファスナ１８の摘持部６３を摘持して横方向Ｘの外側へ引っ張って、第１仮止め部６１と第２仮止め部６２とにおける仮止めを順に解除することによって、テープファスナ１８を展開することができる。テープファスナ１８をおむつ１０の廃棄用として使用する場合には、おむつ１０を丸めた後に、その丸めた状態を維持するように展開したテープファスナの第２自由部５２の止着域をおむつ１０の外面のいずれかに止着する。一方、テープファスナ１８をサイズ調整用として使用する場合には、テープファスナ１８を展開し、固定部４１を縦軸Ｐに向かって引っ張って両側縁部を内方へ引き寄せて、固定部４１と止着域による止着部位との間の寸法を縮めることによって、おむつ１０の幅寸法（又はウエスト回り寸法）を小さくして、着用者の身体によりフィットさせることができる。
【００２５】
後ウエスト域１４の外面には、後ウエスト弾性体２６の収縮によって横方向Ｘに連続する複数のギャザー６５が形成される。後ウエスト域１４の外面に固定されたテープファスナ１８の固定部４１においてもギャザーがされるので、第１仮止め部６１と第２仮止め部６２との間の固定部４１の寸法が縮められて、第１及び第２自由部５１，５２が外方へ凸となる湾曲状を形成する。それによって、摘持部６３が外面から離間し、着用者が摘持易くなる。テープファスナ１８は、繊維不織布から形成されているので、プラスチックシートによって形成されている場合に比して柔軟であって、より湾曲状を呈することができる。
【００２６】
また、テープファスナ１８をおむつ１０の廃棄用テープとして使用するときに、展開したテープファスナ１８の止着域が前ウエスト域１３に位置する吸収体３２と平面視において重なって位置することが好ましい。かかる場合には、丸めて廃棄するときに止着域がシート部材のみからなる領域に比して形状の安定した吸収体３２の存在域に位置するので、安定的に止着することができる。また、テープファスナ１８をおむつ１０のサイズ調整用テープとして使用するときには、展開したテープファスナ１８の止着域が後ウエスト域１４の吸収体３２の側縁部と平面視において重なって位置することが好ましい。かかる場合には止着域の止着が安定するとともに、着用動作等による吸収体３２の両側縁部の浮き上がりを抑えることができる。特に、本実施形態のように、ウエストパネル１１と吸液構造体１２とが別体で形成された場合には、吸液構造体１２（吸収体３２）が着用者の動きによって移動し易くなるので、止着域によって側縁部を身体にフィットさせてかかる移動を規制することができる。
【００２７】
通常、パンツ型おむつの廃棄用又はサイズ調整用に使用されるテープファスナは、開放型おむつの前後ウエスト域の側縁部どうしの連結に使用されるテープファスナに比べて剛性が高いものであって、積層された部分が全体的に接着剤等によって接合されていることによって、両側縁部は複数層が一体化されて、剛性が高くなっている。したがって、着用者がおむつ１０の着用中に、例えば、着用者が仰臥状態で大腿部を動かしたとき等にウエスト域を形成するシート部材を介して間接的にテープファスナの側縁部が腹部に当たった場合、肌に刺激を与えるおそれがある。特に、着用者が乳幼児の場合には、肌が弱く、テープファスナが当接することによって痛みを与えたり、肌に傷が付いたりするおそれがある。さらに、テープファスナを廃棄用として使用する場合には、廃棄操作中にテープファスナの両側縁部の操作者の指が直接触れて、肌を刺激するおそれがある。
【００２８】
本実施形態におけるテープファスナ１８は、全体がプラスチックシートに比して柔軟な繊維不織布から形成されており、かつ、第１及び第２仮止め部６１，６２が両側縁部１８ｃの外側縁から所与寸法離間して位置していることによって、両側縁部１８ｃにおいて互いに重ねられた基材シートの固定部４１、第１及び第２自由部５１，５２が一体化されておらず互いに分離していることから、それらが一体的に（束になって）着用者の肌に触れることはなく、テープファスナ１８の両側縁部１８ｃは従来のパンツ型おむつに使用されるテープファスナに比して柔軟性に優れる。したがって、乳幼児の肌等に間接的または直接的にテープファスナ１８の側縁部１８ｃが当接したとしても、痛みを与えたり、肌を傷つけたりするおそれはない。
【００２９】
このように、テープファスナ１８の両側縁部１８ｃが所要の柔軟性を有するためには、両側縁部１８ｃの外側縁から第１及び第２仮止め部６１，６２までの幅方向における離間寸法Ｒ１が約１．０〜１０．０ｍｍ、好ましくは、２．０〜４．０ｍｍであることが好ましい。１．０ｍｍ未満の場合には、第１及び第２仮止め部６１，６２によって単層化かつ硬化された積層部分（本実施形態の場合にはソニック処理によって、熱溶着された部分）が間接的に肌に触れて刺激を与えるおそれがあり、一方、１０．０ｍｍ未満の場合には、仮止めされていない部分の幅方向Ｆの寸法が比較的に大きくなり、おむつ１０の搬送中や着用中に、第１及び第２自由部５１，５２の側縁部が捲れて折れ曲がったりするおそれがある。また、仮止めされた部分の総面積（第１及び第２仮止め部６１，６２の面積）は積層された状態のテープファスナ１８の表面積（摘持部６３を除く、第１自由部５１と第２自由部５２とが積層された部分の外面の面積）の０.５％以上であって、５．０％以下の大きさであることが好ましい。かかる面積比が５．０％を超える場合には、テープファスナ１８における仮止めされて溶着した部分の面積が比較的に大きくなり剛性が高くなったり、テープファスナ１８を展開するときに比較的に大きな力を要して展開し難くなったりする一方、かかる面積比が０．５％未満の場合には、仮止めされてない部分が捲れたり折れ曲がったりして、テープファスナ１８の折り畳み状態が不意に解除されてしまうおそれがある。既述のとおり、基材シートとして熱可塑性の合成繊維を含む繊維不織布を用いることによってソニック処理によって仮止めすることができるので、粘着剤によって仮止めする場合に比してこのように最小限度の面積で仮止めすることができる。
【００３０】
また、第２自由部５２において基材シートに被覆シート５３が固定されていることによって、テープファスナ１８の外面は基材シートのみから形成されている場合に比してクッション性が向上して肌当たりが良好であって、該外面が肌に直接触れても刺激や違和感を与えるおそれはない。さらに、テープファスナ１８において最も剛性が高くなる部分はフックシート６４が位置する部分（高剛性部）であるところ、フックシート６４として比較的に柔軟な材料を使用することによって、テープファスナ１８の幅方向Ｆにおける柔軟性をさらに向上させることができる。
【００３１】
＜曲げ剛性値＞
テープファスナ１８の高剛性部を除く部分の幅方向Ｆにおける（両側縁部どうしが近づくよう方向に折り曲げたときの）のＫＥＳ曲げ剛性値は０．０４〜０．４４ｇｆ・ｃｍ２／ｃｍ、折り畳まれた状態においてのテープファスナ１８（フックシートを含む）の幅方向におけるＫＥＳ曲げ剛性値は約０．５６〜１．８ｇｆ・ｃｍ２／ｃｍである。従来における、廃棄用またはサイズ調整用として使用される、プラスチックフィルムから形成されたテープファスナの折り畳まれた状態におけるＫＥＳ曲げ剛性値は、約２．０ｇｆ・ｃｍ２／ｃｍであることから、本実施形態のテープファスナは従来のテープファスナに比べて幅方向における曲げ剛性値が低く、柔軟性に優れる。かかる曲げ剛性値となるために、基材シート及び被覆シートには、質量約３０〜１００ｇ／ｍ２のスパンボンド不織布を用いることが好ましく、少なくとも両側縁部から所与寸法離間して仮止め部が位置し、かつ、積層された部分の対向面全体が仮止めされていないことが必要である。
【００３２】
＜曲げ剛性値の測定方法＞
本測定に使用したＫＥＳ法に関しては、「風合い評価の標準化と解析」第２版（社団法人日本繊維機械学会  風合い計量と規格化研究委員会  昭和５５年７月１０日発行）に詳細が説明されている。よって、各力学的性質ごとの測定方法に関し、本測定に関連した計測条件についてのみ以下に述べる。
【００３３】
曲げ特性の測定は、カトーテック（株）製ＫＥＳ−ＦＢ２を用いて、各サンプルの所定領域の１ｃｍ幅を試料として１ｃｍ間隔のチャック間に固定し、最大曲率＋２．５ｃｍ-1まで表側に曲げ、次に、最大曲率−２.５ｃｍ-1まで裏側に曲げた後に元に戻すことによって行った。試料は重力の影響を少なくするために垂直にした状態で測定をし、曲げ剛性Ｂ［ｇｆ・ｃｍ２／ｃｍ］は、表側に曲げはじめて曲率に対する曲モーメントの傾きがほぼ一定になったときの傾きから算出した。また、曲げ剛性Ｂは、おむつ１０の縦方向Ｙ（テープファスナ１８の幅方向Ｆ）に関して測定したものである。
【００３４】
以下、実施例により本発明をさらに詳細に説明する。ただし、本発明の範囲は係る実施例に限定されるものではない。
【００３５】
＜実施例及び比較例＞
下記表１に示すとおり、各実施例及び比較例として、各種の繊維不織布又はプラスチックシートから形成した基材シート（及び被覆シート５３）から形成されたテープファスナ１８を後ウエスト域１４の両側部１９に配置したおむつ１０を製造した。
【００３６】
＜実施例＞
実施例１〜４のテープファスナ１８として質量約３０〜８０ｇ／ｍ２のスパンボンド繊維不織布（ＳＢ繊維不織布）から形成された基材シートを使用し、本実施形態と同様に、断面Ｚ字状となるように折曲した状態で折り曲げて両側部１９に固定した。実施例５のテープファスナ１８として、質量約６０ｇ／ｍ２のスパンボンド繊維不織布（ＳＢ繊維不織布）から形成された基材シートを使用し、断面Ｚ字状となるように折曲した状態における第２自由部５２に質量約４０ｇ／ｍ２のエアスルー繊維不織布（ＡＴ繊維不織布）から形成された被覆シート５３を接合して、両側部１９に固定した。
【００３７】
＜比較例＞
比較例１のテープファスナ１８として、質量約８０ｇ／ｍ２のスパンボンド繊維不織布（ＳＢ繊維不織布）から形成された基材シートを使用し、断面Ｚ字状となるように折曲した状態における第２自由部５２に質量約８０ｇ／ｍ２のスパンボンド繊維不織布から形成された被覆シートを接合して、両側部１９に固定した。比較例２として、質量７０ｇ／ｍ２のプラスチックフィルムから形成され基材シートを使用し、本実施形態と同様に、断面Ｚ字状となるように折曲した状態で折り曲げて両側部１９に固定した。また、実施例１〜５及び比較例１においては、基材シートが繊維不織布から形成されており、第１及び第２仮止め部６１，６２が両側縁部１８ｃに配置されておらず、両側縁部１８ｃにおいて積層された部分どうしが互いに分離している。一方、比較例２においては、基材シートがプラスチックフィルムから形成されており、積層された部分の両側縁部を含めた対向面全体が接着剤によって固定されて一体化している。
【００３８】
＜ＫＥＳ曲げ剛性値＞
上記測定方法に基づいて、各テープファスナの高剛性部の幅方向（縦方向Ｙ）におけるＫＥＳ曲げ剛性値（Ｂ値）を求めた。
【００３９】
＜官能評価＞
得られたおむつを乳幼児（０〜２才）に着用させてその母親１０名を対象として、以下の評価を行った。官能評価（１）として、「おむつの着用中にテープファスナが着用者（乳幼児）の邪魔にならない（動きを阻害しない）ように感じる」という質問に対して、「支持する」を選択した人が７０％以上の場合には、「○」、それ以下の場合（「支持しない」が７０％以上）には「×」として評価した。また、官能評価（２）として、「着用者の肌にテープファスナが直接的又は間接的に接触しても肌に赤み跡が付いたりしない」という質問に対して、「支持する」を選択した人が７０％以上の場合には「○」、それ以下の場合（「支持しない」が７０％以上）の場合には「×」と評価した。
【００４０】
【表１】
2015134021.tif 000003
【００４１】
表１に示すとおり、実施例１〜５においては、テープファスナ１８の幅方向（縦方向Ｙ）のＫＥＳ曲げ剛性値が約０．５６〜１．７４ｇｆ・ｃｍ２／ｃｍであって、官能評価（１），（２）はいずれも「○」であった。すなわち、実施例５のように複数の繊維不織布を積層した場合であっても、積層された繊維不織布の質量の合計が１００ｇ／ｍ２以下であれば、ＫＥＳ曲げ剛性値が１．７４ｇｆ・ｃｍ２／ｃｍ以下となり、官能評価（１）及び（２）において好適な結果を得ることができた。一方、比較例１及び２においては、官能評価（１）及び（２）が「×」の結果となった。このことから、基材シートと被覆シート５３とを繊維不織布から形成し、それらを積層する場合には、積層された繊維不織布の質量の合計が１６０ｇ／ｍ２以上の場合や基材シート自体をプラスチックフィルムから形成し、かつ、両側縁部１８ｃが一体化している場合には、ＫＥＳ曲げ剛性値が２．０７ｇｆ・ｃｍ２／ｃｍ以上となり、比較的に肌当たりが悪く、着用中に身体にテープファスナ１８が間接的に触れて動きを阻害したり、肌に直接触れて刺激を与えたりするおそれがあることがわかった。
【００４２】
＜変更例＞
図７は、本発明におけるテープファスナ１８の変更例を示すものであって、第１実施形態と異なる点についてのみ述べると、本変更例においては、テープファスナ１８が断面Ｚ字型ではなくコ字型に折り畳まれており、ファスナ接合域４０によって後ウエスト域１４の両側部１６に固定された固定部４１と、固定部４１と連なって長さ方向Ｅへ延びる自由部４２とから構成されている。テープファスナ１８は、第１実施形態のそれに比べて積層数が少なく全体の剛性がより低くなり、柔軟性に優れる。
【００４３】
本発明のおむつ１０を構成する各構成材料には、特に記述がなされている場合を除き、この種の分野において通常用いられている、各種の公知の材料を制限なく用いることができる。
【００４４】
以上に記載した本発明に関する開示は、少なくとも下記事項に整理することができる。
縦方向及びそれに直交する横方向と、肌対向面及びその反対側に位置する非肌対向面とを有し、前後ウエスト域の一方である第１ウエスト域と他方である第２ウエスト域と、前記第１及び第２ウエスト域の間に位置するクロッチ域とを含み、前記第１及び第２ウエスト域において前記縦方向へ延びる側縁部どうしが連結されており、前記第１ウエスト域の前記非肌対向面側に取り付けられたテープファスナとを含む使い捨てのパンツ型着用物品において、
前記テープファスナは、繊維不織布製の基材シートによって形成され、前記非肌対向面側に位置する固定部と、少なくとも１つの折曲部位によって折り畳まれた自由部と、折り畳まれた状態における長さ方向と、それに直交し、かつ、前記縦方向とほぼ並行に延びる幅方向と、前記幅方向において対向する両側縁部と、前記固定部と前記自由部とを剥離可能に部分的に固定する少なくとも１つの仮止め部とを有し、
前記仮止め部は、前記両側縁部のうちの少なくとも一方側縁部には配置されておらず、前記一方側縁部において重ねられた部分は接合されていないことを特徴とする前記パンツ型着用物品。
【００４５】
上記段落００４４に開示した本発明に係る使い捨て着用物品は、少なくとも下記の実施の形態を含むことができる。
（１）前記基材シートは、熱可塑性の合成繊維を含む繊維不織布から形成されており、前記仮止め部において剥離可能に溶着されている。
（２）前記自由部は、前記非肌対向面に止着可能な止着域を有し、前記止着域は前記固定部と対向する面に位置し、かつ、フック要素を有するフックシートから形成されており、折り畳まれた状態における前記テープファスナの前記両側縁どうしが近づく方向のＫＥＳ曲げ剛性値は、約０．５６〜１．８ｇｆ・ｃｍ２／ｃｍである
（３）前記テープファスナの折り畳まれた状態における、前記止着域を除く部分の前記テープファスナどうしが近づく方向のＫＥＳ曲げ剛性値が約０．０４〜０．４４ｇｆ・ｃｍ２／ｃｍ以である。
（４）前記テープファスナは、前記固定部に連なる第１自由部と、厚さ方向において前記第１自由部に重ねられる第２自由部とをさらに有し、前記固定部、前記第１及び第２自由部が前記長さ方向において離間する第１及び第２仮止め部によって仮止めされており、前記第１及び第２仮止め部は前記幅方向において離間する一対のドッド状を有する。
（５）前記仮止め部の面積が、折り畳まれた状態におけるテープファスナの表面積の約０．５％以上であって、約５．０％以下の大きさを有する。
（６）前記基材シートのうちの少なくとも一部が、複数の繊維不織布を接合することによって一体化される。
（７）前記自由部の外面には、前記基材シートとは別体の被覆シートが取り付けられており、前記被覆シートは、前記第１ウエスト域の外面を形成するシートよりも質量が低く、同一又は互いに相似するエンボスパターンが外面に付された繊維不織布から形成される。
（８）前記基材シートと前記被覆シートとの接合域は、前記長さ方向又は前記幅方向において所与寸法離間して位置する複数の接合部位から形成される。
（９）前記クロッチ域を中心として前記第１及び第２ウエスト域に延びる吸液性コアをさらに有し、前記テープファスナを展開した状態において、前記自由部の前記止着域が前記吸液性コアの側縁部と平面視において重なって位置する。
（１０）前記クロッチ域を中心として前記第１及び第２ウエスト域に延びる吸液性コアをさらに有し、前記テープファスナを展開した状態において、前記テープファスナが前記第１及び第２ウエスト域の前記側縁部どうしが連結されたサイドシームを跨いで、前記自由部の前記止着域が前記第２ウエスト域に位置する吸液性コアと平面視において重なって位置する。
【符号の説明】
【００４６】
１０  パンツ型着用物品（使い捨てのおむつ）
１３  前ウエスト域（第１又は第２ウエスト域）
１４  後ウエスト域（第１又は第２ウエスト域）
１５  クロッチ域
１８  テープファスナ
４１  固定部
４２  自由部
４３，４４  折曲部位
５１  第１自由部
５２  第２自由部
５３  被覆シート
５４  カバー接合域
６１  第１仮止め部
６２  第２仮止め部
６４  止着域（フックシート）
【図１】
2015134021.tif 000004
【図２】
2015134021.tif 000005
【図３】
2015134021.tif 000006
【図４】
2015134021.tif 000007
【図５】
2015134021.tif 000008
【図６】
2015134021.tif 000009
【図７】
2015134021.tif 000010